(57)【要約】【課題】特殊なサドルを必要としないとともに美観性が向上する長尺物の保護ダクトを提供する。【解決手段】壁面５に取付けられるベース９と、このベース９に取付け可能なカバー１０とからなる長尺物の保護ダクト７であって、ベース９の底壁部９ａは、平板状に形成されるとともに、この底壁部９ａの幅方向の中央位置に形成されたベース取付けねじ用穴９ｂを挟んだ幅方向の両側位置に、サドル１９の回り止め凸条部９ｃが設られている。【選択図】  図１
2004340326.tif 000002
【特許請求の範囲】
【請求項１】
壁面に取付けられるベースと、このベースに取付け可能なカバーとからなる長尺物の保護ダクトであって、
上記ベースの底壁部は、平板状に形成されるとともに、この底壁部の幅方向の中央位置に形成されたベース取付けねじ用穴を挟んだ幅方向の両側位置に、サドルの回り止め凸部が設けられていることを特徴とする長尺物の保護ダクト。
【請求項２】
上記回り止め凸部は、ベースの長さ方向に延在する凸条に形成されている請求項１記載の長尺物の保護ダクト。
【発明の詳細な説明】
【０００１】
【発明の属する技術分野】
本発明は、エアコンの空調配管や配線（ケーブル）のような長尺物に最適な保護ダクトに関する。
【０００２】
【従来の技術】
従来、屋内の室内機と屋外の室外機とを接続する空調配管が家屋の外壁面に配置されている場合、この空調配管をダクトで覆うものがある（例えば、特許文献１、特許文献２参照）。
【０００３】
【特許文献１】
実公平２−１０４００号公報
【特許文献２】
実公平２−１９６７５号公報
【０００４】
【発明が解決しようとする課題】
しかしながら、従来のダクトのベースは、底壁部に凸部が形成され、この凸部に嵌まり合う凹部を有する特殊なサドルを必要とするという問題があった。なお、サドルは、ダクト内に収容された空調配管を結束する結束バンドを通して保持するものである。
【０００５】
また、底壁部の凸部に形成したねじ用穴を利用してベースを壁面にねじで取付けているから、ベースが撓んで美観性が悪くなるという問題があった。
【０００６】
本発明は、上記問題を解消するためになされたもので、特殊なサドルを必要としないとともに美観性が向上する長尺物の保護ダクトを提供することを課題とするものである。
【０００７】
【課題を解決するための手段】
上記課題を解決するために、本発明は、壁面に取付けられるベースと、このベースに取付け可能なカバーとからなる長尺物の保護ダクトであって、
上記ベースの底壁部は、平板状に形成されるとともに、この底壁部の幅方向の中央位置に形成されたベース取付けねじ用穴を挟んだ幅方向の両側位置に、サドルの回り止め凸部が設けられていることを特徴とする長尺物の保護ダクトを提供するものである。
【０００８】
請求項２のように、上記回り止め凸部は、ベースの長さ方向に延在する凸条に形成されている構成とすることが好ましい。
【０００９】
【発明の作用および効果】
本発明によれば、ベースの底壁部が平板状であるから、従来のような凹部を有する特殊なサドルである必要が無く、凹部の無い汎用のサドルでも長尺物を略直線状に締結支持できるので、コスト安になるとともに、底壁部に凸部が無いので、ベースを壁面にねじで取付ける時に撓まなくなって美観性が向上する。
【００１０】
また、回り止め部によって、ねじ止め時にサドルが回らなくなるので、サドルの取付け作業性が向上する。
【００１１】
請求項２によれば、回り止め凸部をベースの長手方向に延在する凸条に形成しているので、この凸条によって底壁部を補強できるようになる。
【００１２】
【発明の実施の形態】
以下、本発明の実施の形態を図面を参照して詳細に説明する。
【００１３】
図５（ｂ）に示すように、家屋１の屋内の室内機２と屋外の室外機３とを接続する空調配管４〔図４（ａ）参照〕は、家屋１の外壁面５に配置されて、この空調配管４は、所定長さで上下方向に延在する中空状の保護ダクト７内に収容されている。
【００１４】
上記保護ダクト７は、図１および図２に示すように、上記外壁面５に取付けられるベース９と、このベース９に取付け可能なカバー１０とから構成されている。
【００１５】
上記ベース９は、略Ｕ字状の断面形状であって、上記外壁面５に取付けられる底壁部９ａは平板状（フラット）に形成されていて、この底壁部９ａの幅方向の中央部には、上記外壁面５にねじ１１〔図３（ｃ）参照〕で固定するためのねじ用穴９ｂが長さ方向に所定の間隔で形成されるとともに、このねじ用穴９ｂを挟んだ幅方向の両側位置には、長さ方向に延在するサドル１９〔図３（ｃ）参照〕の回り止め凸条部９ｃが一体形成されている。上記ねじ用穴９ｂは、例えば１つ置きに、幅方向と長さ方向に長い楕円状に形成されている。
【００１６】
上記サドル１９は、図５（ａ）に示すように、保護ダクト７内に収容された空調配管４を結束する結束バンド２０を通して保持するものである。
【００１７】
上記ベース９の両側壁部９ｄの上部には、長さ方向に延在する内向き凹条部９ｅと外向き凹条部９ｆとが上下位置にそれぞれ形成されている。
【００１８】
上記カバー１０は、略逆Ｕ字状の断面形状であって、両側壁部１０ａの下端部には、長さ方向に延在する内向き屈曲部１０ｂがそれぞれ形成されている。
【００１９】
そして、ベース９の両側壁部９ｄを内向きに撓ませながら、若しくはカバー１０の両側壁部１０ａを外向きに撓ませながら、ベース９の外向き凹条部９ｆにカバー１０の内向き屈曲部１０ｂを嵌め込むことにより、ベース９にカバー１０が係止固定されるようになる〔図２（ｅ）の状態〕。
【００２０】
上記カバー１０の両側壁部１０ｂの内面には、長さ方向に延在する凸条部１０ｃが一体形成され、この凸条部１０ｃは、ベース９にカバー１０が係止固定されたときに、ベース９の両側壁部９ｄの上端部に当て止められるようになる。
【００２１】
図１（ｃ）と、図１（ｃ）のＢ部分の拡大図である図１（ｄ）に詳細に示すように、上記ベース９が水平（横向き）方向に配置される場合に、カバー１０を係止固定する前には、ベース９の下方に位置する内向き凹条部（縁部）９ｅに、カバー１０の上方に位置する内向き屈曲部（縁部）１０ｂを引っ掛けて、カバー１０を吊り下げ状で仮係止できるようになっている。
【００２２】
上記保護ダクト７のベース９は、図５（ｂ）のように、上部が家屋１の屋根１ａの庇の下方に位置し、下部が室外機３の上方に位置するように上下方向に延在させた状態で、底壁部９ａを外壁面５に密着させながら、ねじ用穴９ｂを利用してねじ１１でサドル１２を共締めしながら外壁面５に固定する。なお、外壁面５がコンクリート等であるときは、ねじ止め用のプラグ１２〔図３（ｂ）参照〕を利用すれば良い。
【００２３】
上記保護ダクト７の上部は切断端としても良いが、美観性などが必要であれば、端末部材２２で覆うことができる。
【００２４】
すなわち、図３および図４に示すように、保護ダクト７の上部が位置する外壁面５には、端末部材２２の端末ベース１３が予めねじ１４で固定されている。
【００２５】
この端末ベース１３は、上記ベース９の底壁部９ａと両側壁部９ｄとの外面に嵌まり合う略Ｕ字状の断面形状に形成されて、底壁部１３ａがねじ１４で外壁面５に固定されるとともに、両側壁部１３ｂの上縁部には、雌ねじ用穴１３ｃがそれぞれ形成されている。
【００２６】
上記端末ベース１３は、保護ダクト７が上下向き配置となる場合には、図３（ａ）のように、両側壁部１３ｂが左右位置となるように外壁面５に固定し、保護ダクト７が横向き配置となる場合は、図３（ｂ）のように、両側壁部１３ｂが上下位置となるように外壁面５に固定する。
【００２７】
上記ベース９は、上部の先端部分を端末ベース１３に差し込んだ状態で外壁面５にねじ１１で固定する。
【００２８】
上記端末ベース１３と対となる端末カバー１５は、上記カバー１０の上壁部１０ｄと両側壁部１０ａとの外面に嵌まり合う略Ｕ字状の断面形状に形成されて、カバー１０の上部の先端部分に被せた状態で、上壁部１５ａのねじ用穴１５ｂを利用して、端末ベース１３の雌ねじ用穴１３ｃにねじ１６で固定する。
【００２９】
上記端末ベース１３と端末カバー１５とは端末部材２２を構成し、保護ダクト７の上部に空調配管４の挿通開口を残して上部の開口７ｃを塞ぐようになる。なお、端末部材２２の開口にはパテ１８を詰め込んで防水しても良い。
【００３０】
上記のような保護ダクト７であれば、家屋１の外壁面５に沿って配置した保護ダクト７の内部に空調配管４を収容するから、保護ダクト７によって空調配管４が保護されるとともに、保護ダクト７によって空調配管４がカバーされるので、美観性が向上する。なお、保護ダクト７は、家屋１の内壁面に沿って配置することもできる。
【００３１】
また、端末部材２２により、保護ダクト７の上部の開口７ｃを塞ぐようにすれば、保護ダクト７内への異物の侵入が防止されるとともに、美観性が向上する。
【００３２】
さらに、保護ダクト７のベース９の底壁部９ａが平板状であるから、底壁部９ａに凸部が形成された従来品では、この凸条に嵌まり合う凹条部を有する特殊なサドルを必要としていたが、このような凹部の無い汎用のサドル１９でも空調配管４を略直線状に締結支持できるので、コスト安になる。
【００３３】
また、底壁部９ａに凸部が無いので、ベース９を外壁面５にねじ１１で取付ける時に撓まなくなるので、美観性が向上する。
【００３４】
さらに、ベース９の底壁部９ａの回り止め突条部９ｃによってねじ止め時にサドル１９が回らなくなるので、サドル１９の取付け作業性が向上する。
【００３５】
また、回り止め凸条部９ｃは、ベース９の長さ方向に延在する凸条であるので、この凸条によって底壁部９ａが補強されるようになる。
【００３６】
さらに、ベース９が水平方向に配置される場合に、カバー１０を係止固定する前には、ベース９の下方に位置する内向き凹条部（縁部）９ｅに、カバー１０の上方に位置する内向き屈曲部（縁部）１０ｂを引っ掛けて、カバー１０を吊り下げ状で仮係止できるので、カバー１０を手で持っておく必要がなくなって、保護ダクト７の施工性が向上する。
【００３７】
上記実施形態は、エアコンの空調配管４を例にとったが、配線（ケーブル）のような長尺物にも好適に採用することができる。
【図面の簡単な説明】
【図１】本発明に係る保護ダクトであり、（ａ）はベースの斜視図、（ｂ）はサドルを取付けたベースの斜視図、（ｃ）はベースにカバーを吊り下げた斜視図、（ｄ）は（ｃ）のＢ部分の拡大図である。
【図２】保護ダクトであり、（ａ）は平面図、（ｂ）は正面図、（ｃ）は底面図、（ｄ）は側面図、（ｅ）は（ｄ）の拡大図である。
【図３】端末部材の接続ベースであり、（ａ）は上下向き配置の斜視図、（ｂ）は横向き配置の斜視図、（ｃ）はベース取付け前の斜視図、（ｄ）はベース取付け後の斜視図である。
【図４】端末部材であり、（ａ）は接続カバー取付け前の斜視図、（ｂ）は接続カバー取付け後の斜視図である。
【図５】（ａ）はサドルと結束バンドの斜視図、（ｂ）は家屋の側面図である。
【符号の説明】
１      家屋
４      空調配管
５      外壁面
７      保護ダクト
９      ベース
９ａ    底壁部
９ｂ    ねじ用穴
９ｃ    回り止め凸条部
１０    カバー
１９    サドル
【図１】
2004340326.tif 000003
【図２】
2004340326.tif 000004
【図３】
2004340326.tif 000005
【図４】
2004340326.tif 000006
【図５】
2004340326.tif 000007